(57)【要約】【課題】電子機器の照明装置において、機器の小型化を図ると共に、機器構成部材に対する照度むらを低減する。【解決手段】本発明に係る電子機器の照明装置は、キャビネットの表面に露出する被照明部を有する機器構成部材と、該機器構成部材の被照明部に対向させて設置されたＬＥＤ２とを具え、ＬＥＤ２から発せられる光を機器構成部材の被照明部に照射して、被照明部を照明するものであって、機器構成部材の被照明部の背面と対向させて、導光シート３が配置されている。導光シート３は、光拡散性を有する第１フィルム31と、第１フィルムよりも光透過性の低い第２フィルム32の２層構造を有し、第１フィルム31は、機器構成部材の被照明部に応じた外形を有して被照明部の背面と対向し、第２フィルム32は、ＬＥＤ２と同等若しくは稍大きな外形を有してＬＥＤ２と対向している。【選択図】図３
2012018804.tif 000002
【特許請求の範囲】
【請求項１】
キャビネットの表面に露出する被照明部を有する機器構成部材と、該機器構成部材の被照明部に対向させて設置された発光素子とを具え、該発光素子から発せられる光を機器構成部材の被照明部に照射して、被照明部を照明する電子機器の照明装置において、機器構成部材の被照明部の背面と対向させて、導光部材が配置されており、該導光部材は、光拡散性を有する第１部材と、第１部材よりも光透過性の低い第２部材の２層構造を有し、第１部材は、前記機器構成部材の被照明部に応じた外形を有して被照明部の背面と対向し、第２部材は、前記発光素子と同等若しくは稍大きな外形を有して前記発光素子と対向していることを特徴とする電子機器の照明装置。
【請求項２】
前記導光部材の第２部材は、第１部材よりも高い遮光性を有している請求項１に記載の照明装置。
【請求項３】
前記導光部材の第２部材は、第１部材よりも高い光反射性を有している請求項１に記載の照明装置。
【請求項４】
前記機器構成部材は、キャビネットの開口部から露出する操作キー部を有し、該操作キー部を包囲して前記被照明部がリング状に形成されている請求項１乃至請求項３の何れかに記載の照明装置。
【請求項５】
導光部材の第２部材は、発光素子の発光色と同一若しくは同系色に着色されている請求項１乃至請求項４の何れかに記載の照明装置。
【請求項６】
導光部材の第１部材のみを透過した光によって照明される被照明部の照度と、第１部材及び第２部材を透過した光によって照明される被照明部の照度とが均等化される様、前記第２部材の光透過性が設定されている請求項１乃至請求項５の何れかに記載の照明装置。
【請求項７】
前記導光部材、第１部材及び第２部材はそれぞれ、シート状である請求項１乃至請求項６の何れかに記載の照明装置。
【発明の詳細な説明】
【技術分野】
【０００１】
本発明は、デジタルカメラ等の各種の電子機器においてキャビネット表面に露出する被照明部をＬＥＤ等の発光素子によって照明する照明装置に関するものである。
【背景技術】
【０００２】
デジタルカメラ等の電子機器においては、操作ツマミの内部に発光ダイオード等の発光素子を配置し、該発光素子からの光を操作ツマミ内で乱反射させ、その乱反射した光を操作ツマミの背面に配置した導光ピースで受けて外周部に導き、操作ツマミの周囲を照明するようにした照明装置が提案されている(特許文献１)。
【０００３】
ところで、上述の如き照明装置においては、発光素子によって照明すべき被照明部の広さが発光素子の外形よりも大きくなるにつれて、光の入射角度や到達距離に差が生じるため、被照明部に到達する光の量に差が生じて、被照明部には照度の高い領域と低い領域とが発生することになる。
【０００４】
例えば図５に示す如く、光透過性を有する機器構成部材(40)の背面に対向させて発光素子(20)を配置した照明装置においては、発光素子(20)と対向する領域Ａの照度は高いが、該領域Ａの周囲に拡がる領域Ｂの照度は低いものとなる。
この様な照度ムラは、特に機器構成部材(40)がユーザ操作の対象となる場合、操作部の視認性に対する品質が低下することとなる。
【０００５】
従来、この様な問題を解決するために、例えば機器構成部材(40)に対して光拡散用の切欠き加工を施して、機器構成部材(40)自体に光拡散性を与えることが行なわれていた。
【先行技術文献】
【特許文献】
【０００６】
【特許文献１】特開２００５−５０７８５号公報
【発明の概要】
【発明が解決しようとする課題】
【０００７】
しかしながら、機器構成部材(40)に光拡散性を与えるための切欠き加工を施すには、機器構成部材(40)に大きな厚さが必要となり、機器の小型化に支障を来たす問題がある。
そこで本発明の目的は、機器の小型化に有利であり、機器構成部材に対する照度むらを低減することが出来る照明装置を提供することである。
【課題を解決するための手段】
【０００８】
本発明に係る電子機器の照明装置は、キャビネットの表面に露出する被照明部を有する機器構成部材と、該機器構成部材の被照明部に対向させて設置された発光素子とを具え、該発光素子から発せられる光を機器構成部材の被照明部に照射して、被照明部を照明する電子機器の照明装置において、機器構成部材の被照明部の背面と対向させて、導光部材が配置されている。
該導光部材は、光拡散性を有する第１部材と、第１部材よりも光透過性の低い第２部材の２層構造を有し、第１部材は、前記機器構成部材の被照明部に応じた外形を有して被照明部の背面と対向し、第２部材は、前記発光素子と同等若しくは稍大きな外形を有して前記発光素子と対向している。
【０００９】
上記本発明の照明装置において、発光素子から発せられた光は、導光部材を透過した後、機器構成部材の被照明部に照射され、被照明部を照明する。
ここで、導光部材に入射した光の内、第２部材に入射した光は、第２部材に対して９０度に近い大きな入射角度を有し、到達距離も短いため、大きな光量を有しているが、第２部材を透過する過程で光量が低下し、その光量の低下した光が第１部材に入射して、第１部材を透過する過程で拡散されることになる。
一方、第２部材に入射することなく第１部材へ直接に入射した光は、第１部材に対して小さな入射角度を有し、到達距離も長いため、その光量は低下しているが、第２部材による光量の低下を生じることなく、第１部材を透過する過程で拡散される。
【００１０】
従って、第２部材及び第１部材を透過した光と、第１部材のみを透過した光との間に、大きな光量の差は生じない。そして、第１部材による光の拡散により、導光部材から機器構成部材の被照明部へ向けて出射される光のむらが低減されることになる。
この結果、機器構成部材の被照明部における照度むらは低減されることになる。
【００１１】
具体的態様において、前記導光部材の第２部材は、第１部材よりも高い遮光性を有している。
該具体的態様によれば、第２部材の高い遮光性によって、第２部材を透過して第１部材へ入射する光の光量が低下することになる。
【００１２】
前記導光部材の第２部材は、第１部材よりも高い光反射性を有している。
該具体的態様によれば、第２部材の高い光反射性によって、第２部材を透過して第１部材へ入射する光の光量が低下することになる。
【００１３】
前記機器構成部材は、キャビネットの開口部から露出する操作キー部を有し、該操作キー部を包囲して前記被照明部がリング状に形成されている。
該具体的態様によれば、発光素子が被照明部のリング形状の中心から半径方向に偏った位置に配置されている場合においても、被照明部における照度むらは低減されることになる。
【発明の効果】
【００１４】
本発明に係る電子機器の照明装置によれば、機器の小型化が可能であり、機器構成部材に対する照度むらを低減することが出来る。
【図面の簡単な説明】
【００１５】
【図１】図１は、本発明に係る照明装置の一実施態様を示す断面図である。
【図２】図２は、該照明装置の分解斜視図である。
【図３】図３は、本発明に係る照明装置の構成と作用を説明する図である。
【図４】図４は、本発明に係る他の照明装置の構成と作用を説明する図である。
【図５】図５は、従来の照明装置の構成を説明する図である。
【発明を実施するための形態】
【００１６】
以下、本発明の実施の形態につき、図面に沿って具体的に説明する。
本発明の一実施形態である電子機器は、図１に示す如く、キャビネット(６)内に設置された基板(１)上に照明装置を具え、該照明装置によって操作釦(５)を包囲するリング部(４)を照明するものである。
【００１７】
本発明に係る照明装置は、図２に示す様に、基板(１)上に実装された一対の黄色ＬＥＤ(２)(２)と、被照明部となるリング部(４)が形成された半透明(乳白色)の樹脂部材(41)と、該樹脂部材(41)の背面に貼着固定された導光シート(３)とから構成される。
尚、導光シート(３)はシート状の導光部材に相当する。
【００１８】
導光シート(３)は、光拡散性を有する１枚の第１フィルム(31)と、第１フィルム(31)よりも遮光性の高い２枚の第２フィルム(32)(32)の２層構造を有している。第１フィルム(31)は、厚さ０.０７５ｍｍの光拡散フィルムであって、光の波長６００ｎｍにおける分光透過率は８０％であり、樹脂部材(41)のリング部(４)に対応するリング状部(31a)を有している。各第２フィルム(32)は、厚さ０.０５ｍｍの黄色の樹脂フィルムであって、ＬＥＤ(２)を覆うことが可能な扇状の外形を有している。
尚、第１フィルム(31)と第２フィルム(32)(32)は、それぞれシート状の第１部材と第２部材に相当する。
【００１９】
導光シート(３)の第１フィルム(31)は樹脂部材(41)の背面と対向し、２枚の第２フィルム(32)(32)は一対のＬＥＤ(２)(２)と対向して、各第２フィルム(32)が各ＬＥＤ(２)を覆っている。
【００２０】
図３に示す如く、ＬＥＤ(２)から発せられた光は、導光シート(３)を透過した後、樹脂部材(41)のリング部(４)に照射され、リング部(４)を照明する。
ここで、導光シート(３)に入射した光の内、第２フィルム(32)に入射した光は、第２フィルム(32)に対して９０度に近い大きな入射角度を有し、到達距離も短いため、大きな光量を有しているが、第２フィルム(32)の高い遮光性によって第２フィルム(32)を透過する過程で光量が低下し、その光量の低下した光が第１フィルム(31)に入射して、第１フィルム(31)を透過する過程で拡散されることになる。
【００２１】
一方、第２フィルム(32)に入射することなく第１フィルム(31)へ直接に入射した光は、第１フィルム(31)に対して小さな入射角度を有し、到達距離も長いため、その光量は低下しているが、第２フィルム(32)による光量の低下を生じることなく、第１フィルム(31)を透過する過程で拡散される。
【００２２】
従って、第２フィルム(32)及び第１フィルム(31)を透過した光と、第１フィルム(31)のみを透過した光との間に、大きな光量の差は生じない。そして、第１フィルム(31)による光の拡散により、導光シート(３)から樹脂部材(41)のリング部(４)へ向けて出射される光のむらが低減されることになる。
この結果、樹脂部材(41)のリング部(４)は、その全域において略均等な光量(照度)でむらなく照明されることになる。
【００２３】
導光シート(３)の第２フィルム(32)としては、上記の如く高い遮光性によって光透過率を低下させる構成に替えて、高い光反射性によって光透過率を低下させることも可能である。
【００２４】
この場合、図４に示す如く、導光シート(３)に入射した光の内、第２フィルム(32)に入射した光は、第２フィルム(32)に対して９０度に近い大きな入射角度を有し、到達距離も短いため、大きな光量を有しているが、第２フィルム(32)の高い光反射性によって第２フィルム(32)を透過する過程で光量が低下し、その光量の低下した光が第１フィルム(31)に入射して、第１フィルム(31)を透過する過程で拡散されることになる。
【００２５】
一方、第２フィルム(32)に入射することなく第１フィルム(31)へ直接に入射した光は、第１フィルム(31)に対して小さな入射角度を有し、到達距離も長いため、その光量は低下しているが、第２フィルム(32)による光量の低下を生じることなく、第１フィルム(31)を透過する過程で拡散される。
【００２６】
従って、第２フィルム(32)及び第１フィルム(31)を透過した光と、第１フィルム(31)のみを透過した光との間に、大きな光量の差は生じない。そして、第１フィルム(31)による光の拡散により、導光シート(３)から樹脂部材(41)のリング部(４)へ向けて出射される光のむらが低減されることになる。
この結果、樹脂部材(41)のリング部(４)は、その全域において略均等な光量(照度)でむらなく照明されることになる。
【００２７】
上述の如く、本発明の実施の形態である電子機器の照明装置によれば、樹脂部材(41)のリング部(４)に加工を施すことなくリング部(４)に対する照度を均一化することが出来る。これによって、操作釦(５)の周囲が均一に発光することとなり、ユーザの視認性が向上して、操作釦(５)の操作性が良好なものとなる。
又、従来の構成に対して厚さの小さな導光シート(３)を追加するだけでよいので、装置の薄型化を図ることが出来る。
【００２８】
尚、本発明の各部構成は上記実施の形態に限らず、特許請求の範囲に記載の技術的範囲内で種々の変形が可能である。例えば、発光素子(ＬＥＤ)の数は２つに限らず、１或いは３以上の複数であってもよい。又、被照明部の外形はリング状に限らず、多角形や帯状など、種々の形状を採用することが出来る。
【符号の説明】
【００２９】
(１)  基板
(２)  ＬＥＤ
(３)  導光シート
(31)  第１フィルム
(32)  第２フィルム
(41)  樹脂部材
(４)  リング部
(５)  操作釦
(６)  キャビネット
【図１】
2012018804.tif 000003
【図２】
2012018804.tif 000004
【図３】
2012018804.tif 000005
【図４】
2012018804.tif 000006
【図５】
2012018804.tif 000007